(57)【要約】  圧縮氷ディスペンサは大量及び少量両方の圧縮氷を分与する。圧縮氷ディスペンサは、貯蔵室及び分与ポートを備えたシュラウドと、貯蔵室内に配置した延びたタングをもつパドルホイールと、パドルホイールに結合した撹拌機バー組立体とを有し、それによりパドルホイールの回転時に圧縮氷を分与ポートに供給する。圧縮氷ディスペンサは更に、分与ポートと連通して使用時点で圧縮氷の区分けした部分を供給する氷シュート組立体を有する。圧縮氷ディスペンサの別の実施形態では、パドルホイールボスを備えるシュラウド及び固体パドルホイールを有する。圧縮氷ディスペンサは更に、飲料又は濃縮物を供給する少なくとも１つの飲料分与回路と、再充填能力をもつコールドプレートと、混合するための希釈液を供給する希釈液供給回路とを有し得る。【選択図】      図６ｂ
2008507680.tif 000002
【特許請求の範囲】
【請求項１】
分与ポートと連通する貯蔵室を備えたシュラウドと、貯蔵室内に配置し、先縁部及び外周囲に配置したタングをもつ本体を備えたパドルホイールと、を含み、
タングの先縁部が、約１．２７ｃｍ（１／２インチ）の範囲内から本体の先縁部までのび、更にパドルホイール本体の先縁部が、パドルホイールの回転時にタングで圧縮氷粒子を捕捉するように貯蔵室の内面に隣接し、それにより貯蔵室内に貯蔵した圧縮氷を分与ポートに供給する圧縮氷の分与ディスペンサ。
【請求項２】
更に飲料源から操作者のカップへ分与する分与弁まで飲料又は濃縮飲料を供給する少なくとも１つの飲料分与回路を含む請求項１記載の圧縮氷の分与ディスペンサ。
【請求項３】
更に稀釈液源からの稀釈液を飲料又は濃縮飲料と混合するため分与弁へ供給する少なくとも１つの希釈液供給与回路を含む請求項２記載の圧縮氷の分与ディスペンサ。
【請求項４】
前記シュラウドが、分与ポートと連通する円筒状面をもつ円筒状インセットを備え、更に、パドルホイール本体の先縁部が、パドルホイールの回転時に、貯蔵室内の圧縮氷を分与ポートへ供給するように円筒状インセットの円筒状面に隣接する請求項１記載の圧縮氷の分与ディスペンサ。
【請求項５】
前記円筒状インセットが、更に内周囲部を備え、またパドルホイールタングの周囲先縁部が、約１．２７ｃｍ（１／２インチ）の範囲内から内周囲部までのびる請求項４記載の圧縮氷の分与ディスペンサ。
【請求項６】
前記シュラウドが、パドルホイール本体の真下に圧縮氷の詰まるのを防止するパドルホイールボスを備える請求項１記載の圧縮氷の分与ディスペンサ。
【請求項７】
前記円筒状インセットが、パドルホイール本体の真下に圧縮氷の詰まるのを防止するパドルホイールボスを備える請求項４記載の圧縮氷の分与ディスペンサ。
【請求項８】
前記パドルホイールが、パドルホイール本体とシュラウドとの間に圧縮氷の詰まるのを防止する固体部材を備える請求項１記載の圧縮氷の分与ディスペンサ。
【請求項９】
前記パドルホイールが、パドルホイール本体とシュラウドとの間に圧縮氷の詰まるのを防止する固体部材を備える請求項４記載の圧縮氷の分与ディスペンサ。
【請求項１０】
更にシュラウドの真下に配置したコールドプレートを有し、圧縮氷がコールドプレートを冷却し、更に少なくとも１つの飲料分与回路が冷却のためコールドプレートを通る請求項２記載の圧縮氷の分与ディスペンサ。
【請求項１１】
更にシュラウドの外側に配置し、シュラウドの分与ポートと連通する入口と出口とを備えた氷シュート組立体を有し、氷シュート組立体の床が、分与すべき氷を該床に沿って分与出口へ動かす際に垂直重力成分を増大させるように湾曲する請求項１記載の圧縮氷の分与ディスペンサ。
【請求項１２】
前記氷シュート組立体の床が下向に湾曲する請求項１１記載の圧縮氷の分与ディスペンサ。
【請求項１３】
前記圧縮氷流路が、圧縮氷を入口からで出口へ動かす際に弧状を成す請求項１１記載の圧縮氷の分与ディスペンサ。
【請求項１４】
前記圧縮氷流路のヘッド高さが、氷シュート組立体の潜在的な詰まりを防止するように増大する請求項１１記載の圧縮氷の分与ディスペンサ。
【請求項１５】
前記圧縮氷流路の床の弧状が連続する請求項１３記載の圧縮氷の分与ディスペンサ。
【請求項１６】
前記氷シュート組立体に入る圧縮氷が、氷シュート組立体を十分に真空にして圧縮氷流路に詰まるを阻止する請求項１１記載の圧縮氷の分与ディスペンサ。
【請求項１７】
更に氷シュート組立体の入口及び分与ポートに連通するシュートを有し、該シュートが、分与ポートから氷シュート組立体への圧縮氷の動きを助けるため下向に角度を成す請求項１１記載の圧縮氷の分与ディスペンサ。
【請求項１８】
前記シュラウドが更に、貯蔵室からコールドプレートの上面まで圧縮氷を通してコールドプレートを冷却させる少なくとも１つの再充填開口をコールドプレート上に備える請求項１０記載の圧縮氷の分与ディスペンサ。
【請求項１９】
更にパドルホイールに結合した撹拌機バー組立体を有し、撹拌機バーがパドルホイールと共に回転し、貯蔵室内に貯蔵した圧縮氷を撹拌し、また更に、撹拌機バーが、撹拌機バー組立体の回転する際に少なくとも１つの再充填開口を介して圧縮氷の予定の部分を強制する請求項１８記載の圧縮氷の分与ディスペンサ。
【請求項２０】
前記撹拌機バー組立体が更に、撹拌機バー組立体のまわりに半径方向距離を置いて配置したシューを備え、また更に、少なくとも１つのシューが少なくとも１つの再充填開口を通過して圧縮氷を少なくとも１つの再充填開口を介して強制する請求項１９記載の圧縮氷の分与ディスペンサ。
【請求項２１】
前記シューが、螺旋状パターンに整列して貯蔵室内の掃引面積を最大にする請求項２０記載の圧縮氷の分与ディスペンサ。
【請求項２２】
前記撹拌機が、軸軸線に垂直な平面から３０〜４０度の範囲内に配置する請求項２１記載の圧縮氷の分与ディスペンサ。
【請求項２３】
前記シューが、シュラウドの内面より約０〜約２．５４ｃｍ（ゼロインチ〜１インチ）の範囲に配置する請求項２２記載の圧縮氷の分与ディスペンサ。
【請求項２４】
ａ．貯蔵室に連通する分与ポートを備えるシュラウドの貯蔵室内に圧縮氷を貯蔵する工程；
ｂ．タングを備えるパドルホイールを配置し、パドルホイール本体の先縁部を内面に隣接して配置し、そして圧縮氷を捕捉するためタングの先縁部を約１．２７ｃｍ（１／２インチ）の範囲からシュラウドの内面までに配置する工程；
ｃ．貯蔵室内に配置したパドルホイールを回転して圧縮氷の部分を区分けしかつ区分けした部分を供給用の分与ポートへ動かす工程；
を含む圧縮氷の分与方法。
【請求項２５】
更に、
ｄ．分与ポートから氷シュート組立体における下向に湾曲した圧縮氷流路の出口へ圧縮氷の区分けした部分を供給する工程；
ｅ．ヘッド高さの増大した圧縮氷流路の部分に圧縮氷を動かすことにより圧縮氷流路を真空にして圧縮氷を使用のために氷シュート組立体の出口に落とす工程；
を含む請求項２４記載の圧縮氷の分与方法。
【請求項２６】
ａ．コールドプレート上に位置し、再充填開口を備えたシュラウドの貯蔵室内に圧縮氷を貯蔵する工程；及び
ｂ．貯蔵室から再充填開口を通ってコールドプレートの上面に圧縮氷を動かしてコールドプレートを冷却させる工程；
を含む一体型飲料ディスペンサにおける所望の飲料温度を維持する方法。
【請求項２７】
請求項２６記載の方法において、前記工程ｂを
ｂ．シュラウドの内面の輪郭に沿ってしかも約０〜約２．５４ｃｍ（ゼロインチ〜１インチ）の範囲の距離で再充填開口上で撹拌機バーのシューを掃引して圧縮氷の部分をそれぞれの再充填開口に強制する工程；及び
ｃ．コールドプレートを通過させることにより冷却した製品から得られた飲料を供給する工程；で置き換える方法。
【請求項２８】
更に、
ｄ．段階ａ〜ｃを繰り返してコールドプレートの温度を維持して予定の飲料温度を維持する工程を含む請求項２６記載の方法。
【発明の詳細な説明】
【技術分野】
【０００１】
本発明は、２００４年７月２１日出願の米国仮特許出願第６０／５８９，７４９号の３５Ｕ．Ｓ．Ｃ．１１９（ｅ）に基く全ての利用できる特典を請求する。この参照文献により、米国仮特許出願第６０／５８９，７４９号の全ての開示内容は全体において説明するが、本明細書に結合される。本発明は、氷の分与に関し、一層特に本発明を限定するものではないが、圧縮氷（compressed ice）の分与方法及び装置に関する。
【背景技術】
【０００２】
飲料ディスペンサの製造業者は長年の間飲料と一緒に氷を作り供給することを取り扱ってきた。消費者は今日、飲料ディスペンサにおいて飲料を冷やすために角氷（cubed ice）を日常的に調合することができる。製氷装置は、飲料ディスペンサの上方に配置され、飲料ディスペンサの貯蔵室内に氷を落としこむ。貯蔵した氷は、消費者のカップ内に分与するポートに移送される。
【０００３】
しかし、消費者は角氷より圧縮氷を好む。圧縮氷の製氷装置は利用できるが、圧縮氷の取り扱いは角氷の取り扱いより難しい。更に、大量の圧縮氷を取り扱うには問題がある。圧縮氷は容易に硬く締まり、硬く締まった氷は取り扱い上の問題が生じる。他の問題としてはコールドプレート上に置いた場合に溶融速度が高まる。既存の圧縮氷ディスペンサは存在するが、それらのディスペンサは単に小さな貯蔵容量に適合する傾向があり、そして通常重力により供給される。容量の大きな圧縮氷ディスペンサは現在のところ存在しない。従って、少量及び大量の両方の圧縮氷を分与できる、大量の圧縮氷を貯蔵できる装置は飲料ディスペンサの製造業者や消費者にとって有益である。
【発明の開示】
【発明が解決しようとする課題】
【０００４】
本発明によれば、圧縮氷ディスペンサは、多量及び少量の両方の圧縮氷を分与する能力を提供する。圧縮氷ディスペンサは、貯蔵室及び分与ポートを備えたシュラウドと、貯蔵室内に配置した伸張型タングをもつパドルホイールと、パドルホイールに結合した撹拌機バー組立体とを有し、それにより圧縮氷は、パドルホイールの回転時に分与ポートに供給される。圧縮氷ディスペンサは更に、分与ポートと連通した氷シュート組立体を有し、使用する分与位置へ圧縮氷の区分けした部分を供給する。
【０００５】
圧縮氷ディスペンサの別の実施形態では、パドルホイールの真下に配置したパドルホイールボスを備えたシュラウド、及び固体パドルホイールを有する。別の実施形態では、圧縮氷ディスペンサは、製品または濃縮製品を供給する少なくとも１つの製品分与回路、コールドプレート、及びコールドプレートに対する再充填能力を有し、それにより許容温度限界内で飲料を供給する。更にまた、圧縮氷ディスペンサは製品又は濃縮製品と混合する希釈液を供給する希釈液供給回路を有することができる。従って、本発明の目的は圧縮氷ディスペンサを提供することにある。
【０００６】
本発明の別の目的は、氷ディスペンサから多量及び少量の圧縮氷を貯蔵し分与することにある。本発明の更に別の目的は、許容温度限界内で飲料を分与しかつ要求に応じて圧縮氷を分与する一体型の飲料及び圧縮氷ディスペンサを提供することにある。本発明の更に別の目的、特徴及び利点は以下の説明から当業者には明らかとなる。また本発明の範囲は広義であるようにされ、そして本明細書に記載した特徴、要素又は段階の任意の組合せは本発明の意図した範囲の一部であることが理解されるべきである。
【発明を実施するための最良の形態】
【０００７】
必要により、本発明の詳細な実施形態について説明するが、記載する実施形態は、種々の形態で実施され得る本発明の単なる例示であることを理解すべきである。更に、画面は必ずしも比例尺である必要がなく、また特定の構成要素又は段階の特徴を示すため幾つかの特徴は強調され得ることも理解すべきである。
【０００８】
第１実施形態において、圧縮氷ディスペンサは、必要に応じて圧縮氷を供給できる能力を提供する。圧縮氷ディスペンサは、シュラウドと、パドルホイールと、撹拌機バー組立体と、大量の圧縮氷を貯蔵し、供給する氷シュート組立体とを有する。圧縮氷ディスペンサは、シュラウド内の内部室から氷シュート組立体を介して消費者のカップ内へ予定量の氷を供給する。圧縮氷ディスペンサの形態は、圧縮氷を供給できなくなる橋絡や詰まり現象なしに長い期間を通して圧縮氷を貯蔵できる能力をもたらす。第２実施形態では、圧縮氷ディスペンサは飲料ディスペンサと一体に構成される。第２実施形態は第１実施形態と同様であるが、しかし第２実施形態は、連続してコールドプレートの冷却及び適切な飲料温度維持を行う。
【０００９】
図１〜図７に示すように、圧縮氷ディスペンサ１００はハウジング１１０及び氷分与回路１２５を有する。ハウジング１１０はビン組立体１０９と、ラッパー１１４と、スプラッシュプレート１０７と、ドリップトレイ１０８と、蓋１０５とを備える。ビン組立体１０９はこの第１実施形態では、四つの壁１１３と底部１１５とを備えたステンレス鋼製のビンである。ビン組立体１０９はフレーム組立体１１２と、ドレン１１６と、内部空洞１１１と、ブッシング１１９とを備える。ドレン１１６は底部パネル１１５に配置され、内部空洞１１１内の水は内部空洞１１１からドレン管１１７を介してドリップトレイ１０８の入口１２２へ排出され得る。この実施形態ではドレン管１１７はドリップトレイ１０８の入口１２２に結合して示すが、当業者には認められるように、ドレン管１１７は、下水管、貯蔵タンクなどを備える任意適当な処理装置に結合してもよい。ブッシング１１９は負荷支持容量を提供するのに適する場所及び不変位置に発泡体で形成される。蓋１０５は、内部空洞１１１を周囲の環境及びハウジング１１０の頂部に配置した製氷機を含むにイブ空洞の通常の領域に置ける全ての機械からから熱的に絶縁させて設け得る。
【００１０】
発泡体１１８はビン組立体１０９の周りに成形され、堅固さ、絶縁性、並びに閉じパネル及び貯蔵製品による荷重を支える強度を持たせる。ラッパー１１４は発泡体を成形したビン組立体１０９のまわりに嵌合して、ハウジング１１０を閉じ、そして圧縮氷ディスペンサ１００の内部構成要素を保護する。ラッパー１１４は成形シート金属で構成し、保守点検中のアクセスのためにビン組立体１０９から外すことができる。ドリップトレイ１０８は氷ディスペンサ１００の前面部１０１の下方部分に取付ける。ドリップトレイ１０８は清掃のため外すことができる。ドリップトレイ１０８の入口１２２はドレン管１１７からの流体を排出できる。スプラッシュプレート１０７は成形シート金属構成要素であり、ドリップトレイ１０８の上方で氷ディスペンサ１００の前面部１０１を閉じ、スプラッシュプレート１０７上に落下する流体又は製品を重力でドリップトレイ１０８に向って動かす。スプラッシュプレート１０７は内部構成要素にアクセスするために取外しできる。蓋１０５はフレーム組立体１１２の上方端部１０２に掛かり、それによりハウジング１１０を閉じる。蓋１０５はハウジング１１０内にアクセスするために取外しできる。
【００１１】
氷分与回路１２５は、シュラウド１５０と、バドルホイール１６０と、撹拌機モーター組立体１７０と、撹拌機バー組立体１８０と、ライナーシュート１３０と、氷シュート組立体２２０とを有する。この好ましい実施形態では、シュラウド１５０は、摩擦係数を低減するためポリエチレンで成形する。シュラウド１５０は、清掃のためにハウジング１１０から取外しでき、また前面部１４８と、背面部１４９と、貯蔵室１４７とを備える。シュラウド１５０は更に、矩形部分１５４と、転移部分１４６と、前面部１４８から背面部１４９までのびる円筒状部分１５１とを備える。矩形部分１５４は、三つの側部に蓋１５５を備える。蓋１５５はハウジング１１０の上方端部１０２に嵌合するように設計され、それでシュラウド１５０はハウジング１１０への挿入時に繰り返し配置できる。転移部分１４６は製品を矩形部分１５４から円筒状部分１５１へ動かすことができる。転移部分１４６は第１転移弧状部１５２と第２転移弧状部１５３とを備える。円筒状部分１５１は、シュラウド１５０の最下方部分であり、またゼロ度から４０度の範囲の角度を成す。好ましくは、シュラウド１５０の下方部分は２０度の角度を成し、円筒状部分１５１は背面部１４９が高くなる。第１転移弧状部１５２及び第２転移弧状部１５３はそれぞれ、円筒状部分１５１の上方に位置し、それで矩形部分１５４内に位置した製品は下方に落下し、第１転移弧状部１５２及び第２転移弧状部１５３を通って円筒状部分１５１に向って動き、円筒状部分１５１内に入る。
【００１２】
円筒状部分１５１は、転移部分１４６の前面部１４８から突出して貯蔵室１４７内に円筒状インセント１４５を形成する。突出部における円筒状面１４２は、分与ポート１４４と凹状ポケット１５６とを備える。円筒状インセント１４５は、内面１７７と内周囲部（inner perimeter）１４１とを備える。凹状ポケット１５６は、軸レリーフ１５８に接続した撹拌機モータ軸開口１５７を備える。軸レリーフ１５８は切欠き部を備え、シュラウド１５０は、凹状ポケット１５６内に装着される撹拌機モータ組立体１７０を取外す必要なしに上向きに引くことができる。分与ポート１４４は、貯蔵室１４７から貯蔵室１４７に対して外部の部分へアクセスする。分与ポート１４４はシュート１４３を備え、貯蔵室１４７から分与ポート１４４を通って取り出される製品を案内する。
【００１３】
シュラウド１５０の背面部１４９には背面レリーフ１５９を備え、背面レリーフ１５９は背面部１４９の最下方部位からハウジング１１０に装着されるブッシング１１９の高さより僅かに上方の部位までのびる。背面レリーフ１５９は、氷ディスペンサ１００の内部空洞１１１からシュラウド１５０を取外す際に、ブッシング１１９に対して隙間を形成する。
【００１４】
撹拌機モータ組立体１７０は、電動機１７２を備えたギアボックス１７１を備える。撹拌機モータ組立体１７０は、出力軸１７３を備え、それによりトルクは出力軸１７３に接続した構成要素に伝達する。この第１実施形態では、軸１７３は、ピン１７５を通す開口１７４を備える。電動機１７２は、交流、直流などを含めた任意適当な形式のトルク伝達装置でもよい。ギアボックス１７１は、特定の入力トルクで所望の出力トルクを発生する任意適当な形式の回転量低減又は増加装置である。この実施形態ではピン１７５及びピン１７５を受ける開口１７４を示すが、当業者に明らかであるべきように、撹拌機モータ組立体は、スプライン、ファスナー、機械的リンク機構などを含む、構成要素を結合するのに適した任意の手段を用いてパドルホイール及び撹拌機バー組立体のような他の構成要素に結合してもよい。
【００１５】
パドルホイール１６０は、中空頂部１６２を備えた円錐台形の本体１６１を備える。この本体１６１は、第１側部１６５及び第２側部１６６を備える。本体１６１は更に、中央開口１６８をもつ突起部１６７及び外周部１６４に沿って配置したタング１６３を備える。突起部１６７は更に、突起部１６７を通るピン開口１６９及び突起部１６７のまわりに配置したガセット（ひだ）１９１を備える。第１側部１６５は、更に、円錐台形の軸線に対して半径方向にのびるライザ１９２を備える。
【００１６】
パドルホイール１６０の第２側部１６６は、本体１６１の先縁部１９３及びタング１６３の先縁部１９４を備える。この第１実施形態では、タング１６３は、第1側部１６５から本体１６１の先縁部193へのびる。タング１６３は、軸線方向からほぼ２５°の角度を成す。タング１６３は更に、タング１６３の最外方端部に配置した周囲先縁部212を備える。この実施形態では、タング１６３の先縁部１９４は本体１６１の先縁部１９３までのびるが、代わりの実施形態では、パドルホイールは、本体１６１の先縁部１９３から２．５４ｃｍ（１／２インチ）までの距離に先縁部１９４を備える。
【００１７】
撹拌機バー組立体１８０は、第１端部１８２及び第２端部１８３をもつ軸１８１と、第１撹拌機１８４と、第２撹拌機１８５と、第３撹拌機１８６とを備える。軸１８１は円筒形状であり、そして好ましくはステンレス鋼で構成する。軸１８１の第１端部１８２は、ピン開口１９９及び隙間開口１９８を備える。隙間開口１９８は円筒形の軸線上に位置し、そして撹拌機モータ組立体１７０の出力軸１７３上を摺動するのに適したサイズ及び深さのものである。ピン開口１９９は、ピン開口１９９を含めた軸１８１を半径方向に通る。ピン開口１９９はピン１７５を受けるのに適したサイズのものである。軸１８１の第２端部１８３は、減少した直径部１９７を備え、この直径部１９７はハウジング１１０内に配置したブッシング１１９と係合するのに適したサイズのものである。
【００１８】
第１撹拌機１８４は第１レグ１８８と第１シュー１８７とを備える。第２撹拌機１８５は第２レグ１９０と第２シュー１８９とを備える。第３撹拌機１８６は第３レグ１９６と第３シュー１９５とを備える。各レグ１８８、１９０、１９６の第１端部２０３、２０４、２０５はそれぞれ、軸１８１に取付ける。レグ１８８、１９０、１９６は任意の適当な手段、好ましくは溶接法を用いて軸に取付けてもよい。レグ１８８、１９０、１９６は、軸１８１のまわりにほぼ等間隔に１２０°ずつ離して配置する。第１レグ１８８及び第２レグ１９０は軸１８１から半径方向にのびる。
【００１９】
第３レグ１９６は、軸１８１から、軸１８１に垂直に位置する平面に対してほぼ１５°の角度を成してのびる。シュー１８７、１８９、１９５は、各それぞれのレグ１８８、１９０、１９６の第２端部２０６、２０７、２０８に結合する。シュー１８７、１８９、１９５は、軸１８１の軸線に垂直な平面に対してほぼ３２°の角度を成して配置する。このような形態にすると、シュー１８７、１８９、１９５は、撹拌機バー組立体１８０の回転時に、シュラウド１５０の円筒状部分１５１の内面のほぼ全体を掃引する螺旋形を成す。当業者には認められるように、シュー１８７、１８９、１９５及びレグ１８８、１９０、１９６の長さ、並びに軸１８１の長さは、種々の製品、種々の製品粒子サイズ及び変化するビンサイズに合わせて変化させることができる。
【００２０】
ライナーシュート１３０は、好ましくは摩擦係数を低減するためポリエチレンで成形した、第１端部１３３及び第２端部１３４を備えた射出成形構成要素である。第１端部１３３はフランジ１３２を備える。フランジ１３２はシュート１３１として知られた矩形部分に結合する。シュート１３１はほぼ２５°角度でフランジ１３２と交差する。ライナーシュート１３０は更に、シュート１３１及びフランジ１３２を通る通路１３６を備える。ライナーシュート１３０は更にまた、取付けのためシュート１３１に隣接して配置したボス１３７を備える。ボス１３７は取付け開口１３８を備える。
【００２１】
氷シュート組立体２２０は、上方氷シュート２２１と、下方氷シュート２２２と、アクチベータ２２３と、シュートドアー２２４と、ドアーレバー２２５と、スイッチ２２６と、ばね２２７とを備える。上方氷シュート２２１は、第１端部２２８及び第２端部２２９を備えた射出成形構成要素である。上方氷シュート２２１は、第１端部２２８における入口２３２から第２端部２２９における出口２３３までのびる通路２３０を備える。通路２３０は、床２３１及び天井２６８を備える。床２３１及び天井２６８は弧状形態を成す。この弧状形態は入口２３２から出口２３３まで連続する。天井２６８及び床２３１を形成する弧状形態は不変であるが、当業者には明らかであるべきように、弧状形態の直径は、変動する走行距離と共に製品の種々の粒子サイズを適合するように変更できる。上方氷シュート２２１の入口２３２はライナーシュート１３０の第２端部１３４の形状に相応する。上方氷シュート２２１は更に、上方氷シュート２２１をハウジング１１０に取付ける取付けタブ２３４を各側に備える。取付けタブ２３４はハードウエアを取付できる取付け開口２３５を備える。
【００２２】
上方氷シュート２２１は更に、各側における第２端部２２９の近くのヒンジポイント２３７と、ばね取付け部２３８と、スイッチ取付け部２３６とを備える。ヒンジポイント２３７は、適当な位置に成形した特徴、スナップ、ねじなどを含む他の構成要素の構造上の取付けポイントを形成するのに適した任の形状にできる。ヒンジポイント２３７は上方氷シュート２２１の側部から突出する。ばね取付け部２３８は、上方氷シュート２２１の第２端部２２９に最も近い天井２６８の外面から突出する。ばね取付け部２３８は、ばね２２７の端部を接続する開口２３９を備える。ばね取付け部２３８は更に、下方氷シュート２２２に対する止め部材として機能する。スイッチ取付け部２３６は、ボス、突起又は取付け穴を含めた、スイッチ２２６の取付けポイントを形成するのに適した任意の形状にできる。
【００２３】
シュートドアー２２４は、上方氷シュート２２１の第１端部２２８の形状に相応する。シュートドアー２２４は、シュートドアー２２４を上方回動点２４０のまわりで回転させる任意の適当なハードウエアを用いて入口２３２の範囲内に取付ける。この実施形態では、上方回動点２４０は、シュートドアー２２４から突出する軸２４１である。ドアーレバー２２５は円筒状部分２４４及びアーム２４２を備える。アーム２４２は、円筒状部分２４４の軸線に平行な位置で円筒状部分２４４に結合する。シュートドアー２２４及びドアーレバー２２５は、射出成形構成要素、好ましくは食品用銘柄のプラスチックである。
【００２４】
下方氷シュート２２２は、上方氷シュート２２１の真下に配置し、そして第１端部２４５及び第２端部２４６を備える。第１端部２４５は入口２５１、出口２５２及びそれらを結ぶ通路２４７を備える。下方氷シュート２２２の入口２５１は、上方氷シュート２２１の出口２３３に形状が相応する。通路２４７は、床２５４及び対向壁２５５を備える。床２５４は弧状形態である。この実施形態では、上方氷シュート２２１の床２３１及び下方氷シュート２２２の床２５４は同じ半径及び弧の中心のものである。互いに隣接して配置すると、床２３１及び床２５４は１つの連続した弧状形態となる。下方氷シュート２２２における通路２４７の残りの壁は、第１端部２４５から第２端部２４６へ向ってテーパー状である。
【００２５】
下方氷シュート２２２は更に、ばね取付け部２４９と、プランジャ２５０と、レバー取付け部２５３とを備える。この第１実施形態では、ばね取付け部２４９は下方氷シュート２２２内に成形され、そしてばねの端部、例えばタブを穴に接続するのに適した任意の構成でもよい。プランジャ２５０は下方氷シュート２２２の第１端部２４５の近くに配置したボスである。プランジャ２５０は通路２４７に平行に向き、それで下方氷シュート２２２の第１端部２４５とほぼ同じレベルに位置する。レバー取付け部２５３は、アクチベータ２２３と整合するのに適した任意の構造、例えばスナップ成形体、ねじ又はグルージョイントである。
【００２６】
この実施形態では、アクチベータ２２３はレバーであるが、しかし当業者には認められるように、ディスペンサ１００にオペレータが信号を送ることのできるレバー、電子押しボタンなどを含めた任意形状のユーザーインターフェースでもよい。アクチベータ２２３は、第１端部２５７及び第２端部２５８をもつ本体２５９を備える。本体２５９はシュート取付け部２６３及び取り付け部２６２を備える。シュート取付け部２６３は、アクチベータ２２３を下方氷シュート２２２に接続する、ねじ、スナップ構造体などを含む任意適当な手段である。取り付け部２６２は下方氷シュート２２２と一体の構造体である。この第１実施形態では、取り付け部２６２は本体２５９の第１端部２５７からのびる。本体２５９の第２端部２５８はレバーアーム２６０を備える。レバーアーム２６０はクロスバー２６４及び底部支持体２６１を備える。
【００２７】
組立て時に、ドレン管１１７の端部を、内部空洞１１１の底部１１５に配置したドレン１１６に取付ける。次に撹拌機モータ組立体１７０をハウジング１１０に取付け、出力軸１７３をハウジング１１０の内部室１１１内に突出させる。撹拌機モータ組立体１７０を取付けると、シュラウド１５０の前面部１４８をハウジング１１０の前面部１０１に整列させてシュラウド１５０の円筒状部分１４５を内部室１１１内に挿入する。ハウジング１１０の上方端部１０２に蓋１５５がのるまでシュラウド１５０を挿入する。シュラウド１５０が下方へ摺動する際に、軸レリーフ１５８は出力軸１７３を通り、そして後方切欠き部１５９はブッシング１１９を通る。組立てた状態では、撹拌機モータ軸開口１５７は撹拌機モータ組立体１７０の出力軸１７３と整列し、そしてブッシング１１９は後方切欠き部１５９の最上方部分に位置する。更に、分与ポート１４４は圧縮氷ディスペンサ１００の前面部１０１を通る隙間通路と整列する。この状態において、分与ポート１４４及びシュート１４３は圧縮氷ディスペンサ１００の前面部１０１からアクセスできる。
【００２８】
次に、ライナーシュート１３０を分与ポート１４４及びシュート１４３のまわりに取付け、ライナーシュート１３０のフランジ１３２をシュラウド１５０に対して押圧し、第２端部１３４を第１端部１３３より下げる。ねじ、グルーなどを含む任意適当な手段を用いてライナーシュート１３０をシュラウド１５０に取付ける。
【００２９】
更に組立てる際に、上方氷シュート２２１の第１端部２２８内にシュートドアー２２４を取付け、そしてファスナー２１８を用いて固定する。次にドアーレバー２２５を回動軸２４１に配置し、アーム２４２を上方氷シュート２２１の第２端部２２９とほぼ整列した角度にする。その後、軸にファスナー２１９を配置してドアーレバー２２５を適切な位置に保持する。こうして組立てられると、シュートドアー２２４は軸２４１のまわりで回転でき、それにより、通路２３０の範囲内で開閉動作する。次に、スイッチ２２６をスイッチ取付け部２３６に取付け、プランジャ２５０を下方へ向ける。スイッチ２２６をねじ２４３で保持する。
【００３０】
氷シュート組立体２２０の組立ては、下方氷シュート２２２へのアクチベータ２２３の取付けへと続く。アクチベータ２２３のシュート取付け部２６３を下方氷シュート２２２のレバー取付け部２５３に取付ける。下方氷シュート２２２の入口２５１を上方氷シュート２２１の出口２３３上に配置し、取付け部２６２を上方氷シュート２２１のヒンジポイント２３７に整列させ、下方氷シュート２２２のばね取付け部２４９を上方氷シュート２２１のばね取付け部２３８に整列させる。取付け時に、下方氷シュート２２１はヒンジポイント２３７のまわりで回転できる。上方氷シュート２２１に対する下方氷シュート２２２の取付けの後には、ばね取付け部２３８、２４９へのばね２２７の取付けが続く。組立ての際には、下方氷シュート２２２の位置を偏奇させて上方氷シュート２２１に突き当てるが、しかし下方氷シュート２２２及びアクチベータ２２３はヒンジポイント２３７のまわりで一緒に回転できる。その後、氷シュート組立体２２０をライナーシュート１３０上に配置し、圧縮氷ディスペンサ１００に固定し、アクチベータ２２３を下向きに位置決めする。上方氷シュート２２１の取付けタブ２３４内に位置した取付け開口２３５をライナーシュート１３０の取付け開口１３８に整列させ、そしてねじ２７１を用いて固定する。
【００３１】
その後、シュラウド１５０の円筒状インセット（inset；流路）１４５内にパドルホイール１６０を配置し、中央開口１６８を出力軸１７３上に配置し、パドルホイール１６０の先縁部１９３、１９４をシュラウド１５０の内面１７７に最近接させ、そしてタング１６３の周囲先縁部２１２を円筒状インセット１４５の内周部１４１に隣接させる。そしてパドルホイール１６０を回転させてピン開口１６９を出力軸１７３の開口１７４に整列させる必要がある。
【００３２】
その後、シュラウド１５０の室１４７内に撹拌機バー組立体１８０を挿入でき、第２端部１８３をハウジング１１０に配置したブッシング１１９に最近接させる。その後、撹拌機バー組立体１８３の第２端部１８３をブッシング１１９に挿入して撹拌機モータ組立体１７０の出力軸１７３を通して撹拌機バー軸１８１の第１端部１８２に配置した隙間孔１９８を整列させる隙間を形成する。こうして整列させると、撹拌機バー組立体１８０は出力軸１７３上を摺動し、それにより撹拌機バー組立体１８０の両端部１８２、１８３を支持する。こうして支持すると、ピン開口１９９は出力軸１７３の開口１７４及びパドルホイール１６０のピン開口１６９に整列させる必要がある。こうして整列させると、ピン１７５を開口１９９、１７４、１６９に通して、パドルホイール１６０及び撹拌機バー組立体１８０を保持する。ピンを通した状態において、パドルホイール１６０及び撹拌機バー組立体１８０は出力軸１７３で動かされ、出力軸１７３を回転させると圧縮氷を砕き、分与する。
【００３３】
内部構成要素を組立てると、蓋１０５を取り付けできる。更に、ドリップトレイ１０８を取り付けできる。その後、ドリップトレイ１０８の入口１２２をドレン管１１７の第２端部に接続し、ドレン管１１７を通って流れる流体は内部空洞１１１からドリップトレイ１０８に降下する。前に説明したように、ドレン管１１７は取付け手段の存在する場合には任意適当な処理系統に結合できる。その後、ドリップトレイ１０８上で圧縮氷ディスペンサ１００の前面部１０１にスプラッシュプレート１０７を取付け、それにより、間違った分与から内部構成要素を保護する。
【００３４】
動作において、圧縮氷の貯蔵量はシュラウド１５０に配置した室１４７に供給される。圧縮氷の供給は、手動で或いは圧縮氷ディスペンサ１００上に配置した自動製氷機を用いて実施でき、圧縮氷は、製氷機を出ると貯蔵室１４７に入る。このような場合、蓋１０５は閉じパネルに軽減できる。圧縮氷は、タング１６３で区分けされそしてパドルホイール１６０の回転時に分与ポート１４４に動かされるまで、貯蔵室１４７に貯蔵される。
【００３５】
圧縮氷は矩形部分１５４を介して貯蔵室１４７に入る。矩形部分１５４はハウジング１１０の内部空洞１１１とほぼ整列し、それにより断面入口面積を最大化する。空であるか又は空に近い貯蔵室１４７に入ってくる圧縮氷は矩形部分１５４を通り、第１及び第２中間転移弧状部分１５２、１５３に落ち込む。弧状部分１５２、１５３は各弧状部分１５２、１５３の上方に入ってくる圧縮氷を集め、下向きに降下し続けて円筒状部分１５１に向って圧縮氷を動かす。円筒状部分１５１上に直接入ってくる圧縮氷は円筒状部分１５１に直接落ち込み得る。この点で、シュー１８７、１８９、１９５は、円筒状部分１５１の内面の約２．５４ｃｍ（１インチ）の範囲内に配置される。比較的少量の圧縮氷が円筒状部分１５１に動く際には、撹拌機バー組立体１８０は、パドルホイール１６０によって分与されるまで、貯蔵した少量を撹拌できる。
【００３６】
多量の圧縮氷が貯蔵される場合には、貯蔵室１４７は充填し始め、貯蔵室１４７に入る圧縮氷は、貯蔵した氷の大部分が分与されるか又は溶解するまで、矩形部分１５４に貯蔵される。圧縮氷を分与する際には、撹拌機バー組立体１８０は回転して円筒状部分１５１のほぼ全内面を掃引し、それにより氷の平衡状態を壊し、氷をリセットさせる。圧縮氷がリセットすると、氷は角度を成した円筒状部分１５１に沿ってパドルホイール１６０に向って下方へ動く。撹拌機バー組立体１８０は更に、撹拌機バー組立体１８０上に位置した貯蔵氷を撹拌して、形成され得る氷の橋絡を壊す。従って、掃引撹拌機バー組立体１８０と結合した貯蔵室１４７は、分与する少量及び多量の圧縮氷を管理できる。
【００３７】
アクチベータ２２３の作動によりスイッチ２２６が作動し、撹拌機モータ１７２に電力を供給し、それにより出力軸１７３を回転させる。出力軸１７３の回転により、出力軸１７３に結合したパドルホイール１６０及び撹拌機バー組立体１８０を含む構成要素は回転する。撹拌機軸１８１のまわりで撹拌機バー組立体１８０が回転すると、撹拌機１８４、１８５、１８６は、ほぼ約０〜約２．５４ｃｍ（ゼロインチ〜１インチ）の範囲内の予定の距離でシュラウド１５０の円筒状部分１５１の内面上を通過し、それにより、撹拌機１８４、１８５、１８６の通路内に位置した氷を直接撹拌し、また上記撹拌領域の上方に位置した厚さ区氷を間接的に撹拌する。こうして撹拌した氷はシュラウド１５０の底部に向って降下し、更に円筒状部分１５１の傾斜部により順方向に動く。
【００３８】
氷がシュラウド１５０の円筒状面１４２に近づくと、氷はパドルホイール１６０のタング１６３の間に位置する。この実施形態では、図６ｂに示すように、パドルホイール１６０のタング１６３は、本体１６１の先縁部１９３から第１側部１６５へのび、圧縮氷の分与と関連して圧縮氷粒子を保持できそして動かすことができる。更に、タング１６３の周縁部２１２は、圧縮氷粒子を収容するように約０〜約２．５４ｃｍ（ゼロインチ〜１インチ）の範囲内に位置する。そしてパドルホイール１６０は、撹拌機モータ１７２の出力軸１７３によって回転されると分与ポート１４４へ圧縮氷を動かすことができる。
【００３９】
パドルホイール１６０、シュラウド１５０、ライナーシュート１３０、及び氷シュート組立体２２０は共動してパドルホイール１６０から出口２５２へ圧縮氷を供給する。分与ポート１４４に到達した圧縮氷はパドルホイール１６０から離れ、そして本体１６１の円錐形のため分与ポート１４４を通って落ちる。本体１６１の円錐形は取付け状態における本体１６１の方向決め角度と関連して、分与すべき圧縮氷を角度をなして降下させることになる。使用量の圧縮氷は、パドルホイール１６０の外周部１６４からシュラウド１５０のシュート１４３上に落下する。そして使用量の圧縮氷はライナーシュート１３０の通路１３６を通って動く。
【００４０】
ライナーシュート１３０の通路１３６は分与ポート１４４から離れる方向にテーパー状であるので、圧縮氷は通路１３６を通って落下し、それにより氷シュート組立体２２０に入る。シュートドアー２２４はパドルホイール１６０の回転中、開き、ライナーシュート１３０を通って直接上方氷シュート２２１の通路２３０内へ圧縮氷を通させる。通路２３０内に配置した放射状の床２３１は、圧縮氷が床に沿って動く際に垂直重力成分を増大させる。増大する垂直重力成分は上方氷シュート２２１の第２端部２２９の増大した横断面積と相俟って、通路２３０内に氷が詰まる可能性を最少化する。
【００４１】
圧縮氷は実質的に妨げられずに上方氷シュート２２１を出て行くので、下方氷シュート２２２の通路２４７に入る。圧縮氷は、下方氷シュート２２２の床２５４が上方氷シュート２２１の床２３１の通路に追従するので垂直重力成分を増大させ続ける。圧縮氷が下方氷シュート２２２の第２端部２４６に到達すると、圧縮氷に作用する重力はほぼ垂直であり、そして圧縮氷は下方氷シュート２２２の第２端部２４６に詰まることができない。その後、圧縮氷は下方氷シュート２２２から出て分与される。この第１実施形態では、シュートドアー２２４を通過する圧縮氷が分与され、分与間に氷シュート組立体２２０の通路２３０、２４７内に圧縮氷は留まらない。
【００４２】
スイッチ２２６を閉じると、撹拌機モータ１７２への電力供給が止まる。この第１実施形態では、スイッチ２２６はアクチベータ２２３を押すことにより作動され、非作動にされる。アクチベータ２２３を解放すると、シュートドアー２２４は閉じ、それにより圧縮氷の間違った供給はなくなる。
【００４３】
使用において、オペレータは、図６ｃにおける方法のフローチャートの段階１０に示すようにカップで分与アクチベータ２２３を押す。分与アクチベータ２２３を押すことにより、シュートドアー２２４を開き、スイッチ２２６を作動して撹拌機モータ１７２へ電力を供給し、それにより出力軸１７３、パドルホイール１６０及び撹拌機バー組立体１８０を段階２０に示すように回転させる。処理は段階３０に続き、パドルホイール１６０は圧縮氷を区分けし、そしてライナーシュート１３０の通路１３６及び氷シュート組立体２２０の通路２３０、２４７を通って供給する分与ポート１４４へ動かす。圧縮氷は氷シュート組立体２２０を通って動き、そしてオペレータのカップに分与される、段階４０。処理は、所望量の圧縮氷が供給されると、アクチベータ２２３をオペレータが解放することに続く、段階５０。アクチベータ２２３の解放により、撹拌機モータ１７２への電力供給が止まり、それにより出力軸１７３及びそれに接続した構成要素の回転が止まる。
【００４４】
第２実施形態において、圧縮氷ディスペンサは第１実施形態と実質的に同一であり、同様な部分は同じ符号で示す。しかし、この第２実施形態では、シュラウド１５０はシュラウド２８０に置き換えられる。図７に示すように、シュラウド２８０は円筒状インセット１４５及びパドルホイールボス２８１を備える。第１実施形態と同じパドルホイール１６０は円筒状インセット１４５内に配置し、先縁部１９３、１９４は円筒状インセット１４５の内面１７７に隣接し、パドルホイールボス２８１はパドルホイール本体１６１の中空頂部１６２に嵌合する。パドルホイール１６０は第１実施形態と同様に装着し、同様にして作動して、円筒状インセット１４５に配置した分与ポート１４４へ圧縮氷を動かす。パドルホイール１６０の先縁部１９３、１９４、２１２間、並びにシュラウド２８０内周部囲１４１及び内面１７７の全ての他の関係は、第１実施形態と形状及び機能において同一である。
【００４５】
使用において、パドルホイール１６０は撹拌機モータ軸１７３により回転する。パドルホイールボス２８１は中空頂部１６２内にのび、それにより中空頂部１６２内における又はパドルホイール１６０の本体１６１の真下における間違った氷粒子の詰まりの可能性を低減する。パドルホイールボス２８１のサイズは、パドルホイール１６０を自由にスピンさせるが、しかし中空頂部１６２の内側部分とパドルホイールボス２８１の外径との間に大きな隙間を作らないよう直径にすべきである。例示すると、隙間は分与すべき典型的な氷粒子の直径の半分まですなわち約２．５４ｃｍ（１インチ）の１００〜５０００分の１の最小隙間による範囲内であるべきである。
【００４６】
代わりに、この第２実施形態の圧縮氷ディスペンサは、パドルホイール１６０及びシュラウド２８０に代えて固体本体２８３をもつパドルホイール２８２及びほぼ平坦な内面２８７をもつシュラウド２８５を用いるように変更できる。図７ａに示すようにこの第３実施形態では、シュラウド２８５は分与ポート１４４をもつ円筒状インセット１４５を備える。パドルホイール２８２は円筒状インセット１４５内に配置し、パドルホイール２８２の先縁部１９３、１９４は内面２８７に最近接する。この構成では、パドルホイール２８２の固体本体２８３は、氷粒子が固体本体２８３と内面２８７との間に詰まるのを防止する。他の全ての動作、関係及び機能は第１実施形態と同一であり、パドルホイール２８２は回転し、タング１６３間に圧縮氷を捕捉し、そして圧縮氷を使用のためシュラウド２８５における分与ポート１４４に供給する。
【００４７】
第４実施形態では、第１実施形態において説明した圧縮氷ディスペンサは飲料分与システムと組合わせて一体型ディスペンサ３００を形成する。一体型ディスペンサ３００は第１実施形態による殆どの構成要素を備える。従って、同様な部分は同じ符号で示す。一体型ディスペンサ３００は、消費者に圧縮氷及び飲料を供給するのに必要な全てのハードウエアを、予定の温度限界内で飲料を供給するための手段と共に備える。当業者には認められるように、飲料ディスペンサは特に後混ぜ飲料ディスペンサとして当該分野において周知である。
【００４８】
図８に示すように、一体型ディスペンサ３００は、飲料分与回路３０５及び圧縮氷分与回路３０６を備える。飲料分与回路３０５は、分与弁３１０と、コールドプレート３１２と、コールドプレート３１２内に配置した管から冷却した流体を消費するため分与弁３１０へ供給するのに適した接続部とを備え得る。分与弁３１０は更に、消費者とのインターフェースとして使用するアクチベータ３１１を備え得る。当業者に認められるように、アクチベータ３１１は電子スイッチ、レバーなどでよい。図８ａ及び図８ｂに示すように、この第４実施形態では、コールドプレート３１２の上面３１３は内部空洞１１１の底部として機能する。コールドプレート３１２は更に、ドレン管１１７に接続できるドレン構造体を備える。
【００４９】
氷分与回路３０６は、第１実施形態の氷分与回路とほぼ同じであるが、しかし第４実施形態ではシュラウド３２０を備える。シュラウド３２０はシュラウド１５０と形状がほぼ同じであるが、シュラウド３２０は更に、再充填開口を備える。図８ａ〜図９ａに示すように、シュラウド３２０は、第１前面再充填開口（recharge aperture）３１６と、第２前面再充填開口３１７と、上方左側再充填開口３１８と、下方左側再充填開口３１９と、下方右側再充填開口３２２とを備える。再充填開口３１６、３１７、３１８、３１９、３２２は、貯蔵室１４７からコールドプレート３１２の上面31３へ圧縮氷を通させる。当業者には認められるように、少なくとも１つの再充填開口を必要とするが、コールドプレート３１２の温度を調節するのに多再充填開口を使用してもよい。更に当業者に認められるように、再充填開口のサイズは、コールドプレート３１２の上面31３へ供給される圧縮氷の量を更に調整するため増減できる。
【００５０】
組立てにおいて、コールドプレート３１２を内部空洞１１１に適当に接続し、コールドプレート３１２の上面31３は内部空洞１１１の底部を形成する。第１実施形態の場合のように、内部空洞１１１内にシュラウド３２０を配置する。パドルホイール１６０、撹拌機モータ組立体１７０、氷シュート組立体２２０及び撹拌機バー組立体１８０の取付けは第１実施形態と同じである。
【００５１】
一体型ディスペンサ３００の動作は第１実施形態の動作とほぼ同じであるが、しかし撹拌機バー組立体１８０及びコールドプレート３１２と組合わせたシュラウド３２０の使用はコールドプレート３１２に対して再充填能力を与える。圧縮氷が貯蔵室１４７を充填するにつれて、圧縮氷の幾分かは再充填開口３１６、３１７、３１８、３１９、３２２に落ち込み、コールドプレート３１２を冷却する。再充填開口３１６、３１７、３１８、３１９、３２２を通過する圧縮氷はコールドプレート３１２の上面３１３に乗り、それによりコールドプレート３１２を冷却する。コールドプレート３１２の種々の領域に対する再充填開口３１６、３１７、３１８、３１９、３２２の配置により、コールドプレート３１２における最適再充填効果が得られる。コールドプレート３１２は更に、軸レリーフ１５８及び後方レリーフ１５９に圧縮氷を通すことによって再充填できる。
【００５２】
この第４実施形態では、コールドプレート３１２は更に、撹拌機バー組立体１８０の回転時に再充填される。再充填開口３１８、３１９、３２２は円筒状部分１５１に配置されるので、撹拌機バー組立体１８０が再充填開口３１８、３１９、３２２上を通過する際に、予定量の圧縮氷が再充填開口３１８、３１９、３２２を介してコールドプレート３１２に押される。当業者に認められるように、撹拌機バー組立体１８０のシュー１８７、１８９、１９５の長さは、種々の製品又は所望のコールドプレート３１２の温度と共に変更できる。圧縮氷の溶融速度は増大するので、最適量の圧縮氷をコールドプレート３１２に供給しなければならず、そうしないと不満足な飲料温度となる。そして、溶融した氷はドレン管１１７を通ってドリップトレイ１０８又は適当な処理導管に流れる。
【００５３】
飲料分与回路３０５の動作は当該分野において周知であり、消費者によって作動された時に濃縮物はコールドプレート３１２を介して分与弁３１０へ流れ、希釈液と混合される。氷分与回路３０６の使用は第１実施形態と同じであり、圧縮氷は図７に示すように、貯蔵室１４７からオペレータのカップへ供給される。しかし、この第４実施形態を用いるオペレータは、一体型ディスペンサ３００において許容温度範囲内の飲料及び予定量の圧縮氷を得る。
【００５４】
本発明は好ましい実施形態について説明したが、かかる説明は単に例示のためのものであり、当業者には明らかなように、種々の程度の多くの変更、等価及び変形は本発明の範囲内である。従って、本発明の範囲は上記の詳細な説明によって全ての点において限定されるべきではなく、特許請求の範囲によってのみ定義される。
【図面の簡単な説明】
【００５５】
【図１】第１実施形態による圧縮氷ディスペンサの斜視図。
【図１ａ】第１実施形態による圧縮氷ディスペンサの詳細斜視図。
【図１ｂ】第１実施形態による圧縮氷ディスペンサに必要な構成要素の分解斜視図。
【図２】第１実施形態によるシュラウドの斜視図。
【図２ａ】第１実施形態によるシュラウドの背面斜視図。
【図２ｂ】第１実施形態によるシュラウドの断面図。
【図３】第１実施形態による撹拌機モータ組立体の斜視図。
【図４】第１実施形態によるパドルホイールの斜視図。
【図４ａ】第１実施形態によるパドルホイールの背面斜視図。
【図５】第１実施形態による撹拌機バー組立体の斜視図。
【図６】第１実施形態によるライナーシュートの斜視図。
【図６ａ】第１実施形態による氷シュート組立体の分解斜視図。
【図６ｂ】第１実施形態による氷シュート組立体の断面図。
【図６ｃ】第１実施形態による圧縮氷ディスペンサを用いる方法のフローチャート。
【図７】第２実施形態によるパドルホイールボスを備えるシュラウドの断面図。
【図７ａ】第３実施形態による固体パドルホイールを利用したシュラウドの断面図。
【図８】第２実施形態による一体型の飲料及び圧縮氷ディスペンサの斜視図。
【図８ａ】第２実施形態に用いられる構成要素を示す分解斜視図。
【図８ｂ】圧縮氷ディスペンサの第２実施形態の断面図。
【図９】第２実施形態によるシュラウドの斜視図。
【図９ａ】第２実施形態によるシュラウドの背面斜視図。
【図１】
2008507680.tif 000003
【図１ａ】
2008507680.tif 000004
【図１ｂ】
2008507680.tif 000005
【図２】
2008507680.tif 000006
【図２ａ】
2008507680.tif 000007
【図２ｂ】
2008507680.tif 000008
【図３】
2008507680.tif 000009
【図４】
2008507680.tif 000010
【図４ａ】
2008507680.tif 000011
【図５】
2008507680.tif 000012
【図６】
2008507680.tif 000013
【図６ａ】
2008507680.tif 000014
2008507680.tif 000015
【図６ｂ】
2008507680.tif 000016
【図６ｃ】
2008507680.tif 000017
【図７】
2008507680.tif 000018
【図７ａ】
2008507680.tif 000019
【図８】
2008507680.tif 000020
【図８ａ】
2008507680.tif 000021
【図８ｂ】
2008507680.tif 000022
【図９】
2008507680.tif 000023
【図９ａ】
2008507680.tif 000024
【国際調査報告】
2008507680.tif 000025